(57)【要約】【課題】種々の形状サイズの椅子に装着でき、経済的で、しかも、装着時はもちろん椅子使用中においても皺が発生することのない椅子カバーを提供する。【解決手段】椅子１２の背もたれ部１４を覆う袋状の背もたれ部用カバー部２０と、背もたれ用カバー部２０と連続して椅子１２の座部１６の上面を覆う座部用カバー部２４と、背もたれ用カバー部２０の下端及び座部用カバー部２２の周囲と連続して椅子１２の脚部１８周囲を覆うスカート状の脚部用カバー部２４とを有する椅子カバー１０であって、背もたれ用カバー部２０及び座部用カバー部２２には、保形用のクッション２６、２８が設けられている。【選択図】図２
0003131796.tif 000002
【実用新案登録請求の範囲】
【請求項１】
椅子の背もたれ部を覆う袋状の背もたれ部用カバー部と、前記背もたれ用カバー部と連続して椅子の座部の上面を覆う座部用カバー部と、前記背もたれ用カバー部の下端及び前記座部用カバー部の周囲と連続して椅子の脚部周囲を覆うスカート状の脚部用カバー部とを有する椅子カバーであって、
前記背もたれ用カバー部及び座部用カバー部には、保形用のクッションが設けられていることを特徴とする椅子カバー。
【請求項２】
請求項１において、
前記座部用カバー部のクッションは、前縁部に前端から後方にかけて下降傾斜する前縁テーパー部が形成されていることを特徴とする椅子カバー。
【請求項３】
請求項１または２において、
前記座部用カバー部のクッションは、両側縁部に側端から中央側にかけて下降傾斜する側縁テーパー部が形成されていることを特徴とする椅子カバー。
【請求項４】
請求項１〜３のいずれかにおいて、
前記背もたれ用カバー部のクッションは、二重クッションとされ、この二重クッション間に椅子の背もたれ部を差込み可能にされていることを特徴とする椅子カバー。
【考案の詳細な説明】
【技術分野】
【０００１】
本考案は、椅子カバーに関し、特に、ホテルや結婚式場の宴会場等で使用される椅子に装着するに適した椅子カバーに関する。
【背景技術】
【０００２】
ホテルや結婚式場の宴会場等で使用される椅子には、白生地等の布製の椅子カバーが装着されることが多い。
【０００３】
しかし、宴会場等で使用される椅子は、その形状やサイズなどが種々で、１種類の椅子カバーで種々の椅子に対応させようとすると、装着できなかったり、装着できても布が弛んで皺が寄ったりすることとなる。
【０００４】
これに対し、種々の形状、サイズの椅子に適合するように椅子カバーを用意すると不経済である。
【０００５】
そこで、下端部が開放した袋状の布体からなり、椅子の背もたれ部の周縁を覆う部分がストレッチ布体で構成された背もたれ部用カバー体と、上端の胴径が最も小さいスカート状の布体からなり、上端周方向がストレッチ布体で構成された座部用カバー体とを有する椅子カバーとすることによって、１種類の椅子カバーで、形状やサイズなどが異なる椅子に対してフィットさせることができ、経済性の高いものとする提案がなされている（特許文献１参照）。
【特許文献１】特開２００２−９５５４２号公報
【考案の開示】
【考案が解決しようとする課題】
【０００６】
このような椅子カバーにあっては、ストレッチ布体の伸縮性を利用して種々の形状、サイズの椅子に適合させようとするものであるが、ストレッチ布体の伸縮性だけで完全に種々の椅子に適合させるのは困難で、どうしても座部カバー体や背もたれ部カバー体に皺が生じやすく、特に、装着時には綺麗に装着できたとしても、使用中に布にずれが生じて座部カバー体や背もたれ部カバー体に皺が発生してしまうという問題がある。
【０００７】
本考案の目的は、種々の形状、サイズの椅子に装着でき、経済的で、しかも、装着時はもちろん、椅子使用中においても皺が発生することのない椅子カバーを提供することにある。
【課題を解決するための手段】
【０００８】
前記目的を達成するため本考案の椅子カバーは、椅子の背もたれ部を覆う袋状の背もたれ部用カバー部と、前記背もたれ用カバー部と連続して椅子の座部の上面を覆う座部用カバー部と、前記背もたれ用カバー部の下端及び前記座部用カバー部の周囲と連続して椅子の脚部周囲を覆うスカート状の脚部用カバー部とを有する椅子カバーであって、
前記背もたれ用カバー部及び座部用カバー部には、保形用のクッションが設けられていることを特徴とする。
【０００９】
本考案によれば、背もたれ用カバー部及び座部用カバー部に、保形用のクッションを設けることにより、種々の形状、サイズの椅子に装着した場合でも、保形用のクッションによって背もたれ用カバー部及び座部用カバー部の形状が保持され、装着時はもちろん、使用中においても背もたれ用カバー部及び座部用カバー部に皺が寄ることがなく、常に皺のない綺麗な使用状態が得られ、しかも、経済的なものとすることができる。
【００１０】
本考案においては、前記座部用カバー部のクッションは、前縁部に前端から後方にかけて下降傾斜する前縁テーパー部が形成されるようにすることができる。
【００１１】
このような構成とすることにより、座部用カバー部のクッションによって座面が高くなるにもかかわらず、前縁テーパー部により前縁部が低くなるため、座面が高くなったことによる座りにくさを回避することができる。
【００１２】
本考案においては、前記座部用カバー部のクッションは、両側縁部に側端から中央側にかけて下降傾斜する側縁テーパー部が形成されるようにすることができる。
【００１３】
このような構成とすることにより、座部用カバー部のクッションによって座面が高くなるにもかかわらず、側縁テーパー部により側縁部が低くなるため、座面が高くなったことによる座りにくさを回避することができる。
【００１４】
本考案においては、前記背もたれ用カバー部のクッションは、二重クッションとされ、この二重クッション間に椅子の背もたれ部を差込み可能にすることができる。
【００１５】
このような構成とすることにより、椅子の背もたれ部の正面側及び背面側にクッションが存在するため、背もたれ用カバー部の正面側のみならず背面側の皺をもなくすことができ、しかも、クッション間に椅子の背もたれ部を差し込めばよく、装着も容易に行うことができる。
【考案を実施するための最良の形態】
【００１６】
以下、本考案の実施の形態について、図面を参照して詳細に説明する。
【００１７】
図１〜図４は、本考案の一実施の形態にかかる椅子カバーを示す図である。
【００１８】
図１は、本実施の形態にかかる椅子カバーを椅子に装着した状態を示す斜視図、図２は、図１の縦断面図、図３は、III-III線に沿う断面図、図４は、座部用カバー部の裏面図である。
【００１９】
この椅子カバー１０は、図１に示すように、椅子１２に装着して用いるもので、この椅子１２は、背もたれ部１４と、座部１６と、４本の脚部１８とを有しており、椅子カバー１０は、背もたれ用カバー部２０と、座部用カバー部２２と、脚部用カバー部２４とを有するものとなっている。
【００２０】
背もたれ用カバー部２０は、椅子１８の背もたれ部２０の全体を覆うもので、図２に示すように、表面が下端の開口した布製の袋状のものとなっている。
【００２１】
また、背もたれ用カバー部１２内には、保形用のクッション２６が設けられている。
【００２２】
このクッション２６は、頂部で２つに折り畳んだ二重クッションとなっており、この二重クッションの下部側から二重クッション間に椅子１２の背もたれ部１４を差込み可能になっている。
【００２３】
このように、二重クッションによって、椅子１２の背もたれ部１４の正面側及び背面側にクッション２６が存在することとなるため、背もたれ用カバー部２０の正面側のみならず背面側の皺をもなくすことができ、しかも、クッション２６間に椅子１２の背もたれ部１４を差し込めばよく、装着も容易に行うことができる。
【００２４】
座部用カバー部２２は、図２に示すように、表面が布製で、背もたれ用カバー部２０の表面と連続して椅子１２の座部１６の上面側を覆うようになっている。
【００２５】
この座部用カバー部２２の座部１６側下面には、保形用のクッション２８が設けられている。
【００２６】
この保形用クッション２８によって、座部用カバー部２２の形状を保持して、表面に皺が寄るのを確実に防止することができることとなる。
【００２７】
このように、背もたれ用カバー部２０及び座部用カバー部２２に、保形用のクッション２６、２８を設けることにより、種々の形状、サイズの椅子に装着した場合でも、保形用のクッション２６、２８によって背もたれ用カバー部２０及び座部用カバー部２２の形状が保持され、装着時はもちろん、使用中においても背もたれ用カバー部２０及び座部用カバー部２２に皺が寄ることがなく、常に皺のない綺麗な使用状態が得られ、しかも、経済的なものとすることができることとなる。
【００２８】
また、座部用カバー部２２のクッション２８は、図２に示すように、前縁部に前端から後方にかけて下降傾斜する前縁テーパー部３０が形成されている。
【００２９】
さらに、図３に示すように、座部用カバー部のクッション２２の両側縁部に側端から中央側にかけて下降傾斜する側縁テーパー部３２が形成されている。
【００３０】
このように、座部用カバー部２２のクッション２８によって椅子１２の座部１６における座面が高くなるにもかかわらず、前縁テーパー部３０及び側縁テーパー部３２により椅子１２に腰掛けた際に前縁部及び側縁部が低くなるため、座面が高くなったことによる座りにくさを回避することができることとなる。
【００３１】
脚部用カバー部２４は、図１及び図２に示すように、背もたれ用カバー部２０の下端及び座部用カバー部２２の周囲と連続する布製のもので、椅子１２の脚部１８の周囲全体を覆うスカート状のものとされている。
【００３２】
また、座部用カバー部２２の裏面には、図４に示すように、四隅にそれぞれ２本ずつ紐３４が取り付けられ、椅子１２の各脚部１８結びつけることで、椅子カバー１０のずれを防止するようにしている。
【００３３】
本考案は、前記実施の形態に限定されるものではなく、本考案の要旨の範囲内において種々の形態に変更することができるものである。
【００３４】
例えば、前記実施の形態では、脚部用カバー部は床面まで達する程度の長さのものとされているが、この例に限定されるものではなく、より短く設定することも可能である。
【図面の簡単な説明】
【００３５】
【図１】本考案の一実施の形態にかかる椅子カバーを椅子に装着した状態を示す斜視図である。
【図２】図１の縦断面図である。
【図３】図１のIII-III線に沿う断面図である。
【図４】座部用カバー部の裏面図である。
【符号の説明】
【００３６】
１０  椅子カバー
１２  椅子
１４  背もたれ部
１６  座部
１８  脚部
２０  背もたれ用カバー部
２２  座部用カバー部
２４  脚部用カバー部
２６、２８  クッション
３０  前縁テーパー部
３２  側縁テーパー部
３４  紐
【図１】
0003131796.tif 000003
【図２】
0003131796.tif 000004
【図３】
0003131796.tif 000005
【図４】
0003131796.tif 000006